(57)【要約】      （修正有）【課題】写真やポスターなどの薄い紙や布に表現された作品を貼りつけるためのパネル額を提供する。【解決手段】窓抜きした板材１に、展示物に合わせた窓枠の裏面の要所につまみ式回転金具２を貼りつけて凸面を設け、支持体の平面板３は、展示物を設置するもので、支持体の平面板に、窓抜きした板材の凸面と対になるような穴１０を設け、窓抜きした板材のつまみ式回転金具２が設けられた凸面と、支持体の平面板３の展示物が設置される面を重ね合わせ、重ね合わせた状態では、つまみ式回転金具２の回転羽根板が平面板の裏面に凸面をなし、回転羽根板を回転することによって支持体の平面板３を挟むように固定する。【選択図】図４
0003210291.tif 000002
【実用新案登録請求の範囲】
【請求項１】
窓抜きした板材（１）は、展示物に合わせた窓枠の裏面の要所につまみ式回転金具を貼りつけて凸面を設け、支持体の平面板（３）は、作品を設置するもので、支持体の平面板に、窓抜きした板材の凸面と対になるような穴（１０）を設け、この二つの面を重ね合わせることによって横ずれと隙間なくすことができることと、この二つの面を重ね合わせた状態でつまみ式回転金具（２）の回転羽根板（２ｄ）が平面板の裏面に凸面をなし、回転羽根板を可動することができる状態であり、それを直交することによって支持体の平面板（３）を挟むように固定して窓抜きした板材（１）の四隅の跳ね上がりをなくすことを特徴としたパネル額の構造。
【請求項２】
パネル額に作品を保管方法は、パネル額（図７）の窓抜きした板材（1）と支持体の平面板（３）を組み合わせた一部欠截断面図のように裏面の外側補強材の内側の窪みにつまみ式回転金具（２）の（２ｄ）の回転羽根板のつまみが直交できる位置の内側に内側補強材（５）を作品が入る大きさに組み合わせて、支持体の平面板（３）の裏面に貼りつけ、内側補強材（５）の枠内を収納箱として内側補強材（５）の木枠に合わせて被せ板（６）を設け、作品の出し入れができるように被せ板止め金具（７）を付けたパネル額の構造。
【考案の詳細な説明】
【技術分野】
【０００１】
本考案は、写真やポスターなどの薄い紙や布に表現された作品を貼りつけるためのパネル額の構造に関するものである。
【背景技術】
【０００２】
パネル額は、紙や布に描写された作品を飾るものであり、作品を支え固定するための支持体(図１２-３、４)という部と、支持体と同じ大きさで作品を効果的に表現するための窓抜きした板材(図１２−１)という部で構成されている。支持体は、板材の裏面の縁に沿って角材を貼りつけて、平面を維持し、支持体の表面の一部に作品を載せ固定するものである。窓抜きした板材は、支持体の一部に作品を固定するとき、その位置に合わせて窓抜きして、作品以外の部分を覆い隠すことと、装飾板として作品を効果的に表現するためのものである。従来、紙や布に描写された作品は、窓抜きした板材と支持体で挟むように固定するものであり、それぞれの合わさる面に接着剤を塗布し固着する方法をとった構造のパネル額がある。この方法のパネル額は、固着してあるため安定しているという半面、貼り直しは困難である。
【０００３】
また、貼り直しが困難である接着剤での固定方法は、作品が容易に取り出せないという問題と同時に作品のみを保管することが困難でパネル額に貼りつけた状態で保管することは相当の面積が必要であった。作品を容易に取り出せて、新しい作品と容易に取り替えることができ、複数の作品を使い回しができることで、作品の保管場所の縮小が可能になるようなパネル額が求められ、支持体と窓抜きした板材が分離できるパネル額が製作されるようになった。そのパネル額の接着構造は、布の表面がループ状に織られた布と布の表面が鉤状に織られた布を接着剤の代用にしたものでお互いを押圧することによって固定するものと、磁気を帯びた薄板と薄鉄板を接着剤の代用にしてお互いを押圧することによって固定する方法のパネル額である。
【考案の概要】
【考案が解決しようとする課題】
【０００４】
しかしながら作品の入れ替えを可能にした前記の二つの方法の構造は、窓抜きした板材の材質や性質によって、展示場所の環境が原因で、窓抜きした板材の四隅が跳ね上がる恐れがあり、また図１２のように、この二つの手段に使用される接合材（９ａ）と接合材（９ｂ）の厚みにより窓抜きした板材と支持体の間に隙間を有してしまう。
【０００５】
また入れ替えを可能にしたパネル額によって取り外した作品は、長期間、傷を付けることなく保管する点で、その管理方法の構造を考案する課題がある。
【課題を解決するための手段】
【０００６】
そこで、先ず、図４のように、窓抜きした板材（1）は、その裏面の適所につまみ式回転金具（２）を接着して凸面を設け、支持体の平面板（３）は、窓抜きした板材（1）を均等に重ねたとき、その凸面を吸収して平面になるような位置に穴（１０）を設けることにより窓抜きした板材（1）の裏面と支持体の表面が、かみ合うように隙間なく重ねることができる。次にこの状態で、つまみ式回転金具（２）の第2板（２ｄ）が、支持体の平面板（３）の裏面の面に対して凸面となっていて、つまみ式回転金具（２）の第1板（２b）と第2板（２ｄ）を直交させて、支持体の平面板（３）を挟むことにより、窓抜きした板材（1）と支持体の平面板（３）を固定できる手段をとった。図７は、窓抜きした板材（1）と支持体の平面板（３）を重ねて挟んで固定した一部欠截図面である。
【０００７】
もう一つの課題である作品の保管方法は、支持体の裏面の窪みに、このパネル額にセットした作品が収納できるサイズの内側補強材（５）の木枠を設け、その木枠に合わせて裁断した被せ板（６）を被せ出し入れができるように被せ板止め金具（７）を付け収納箱として保管できるようにした。
【考案の効果】
【０００８】
窓抜きした板材（1）と支持体の平面板（３）に凹凸面を設け、お互いを噛みあわせることによって隙間なく重ねることができ、つまみ式回転金具（２）で支持体の平面板（３）を挟むように固定することによって窓抜きした板材（1）の四隅の跳ね上がりの恐れをなくした構造のパネル額となる。
【０００９】
またパネル額の裏面の窪みを利用して、作品を保管できることは、紛失することなく、複数の作品を収納できるため、有効である。
【図面の簡単な説明】
【００１０】
【図１】実施例１の表面の斜視図である。
【図２】実施例１の分解した表面の斜視図である。
【図３】実施例１の裏面の斜視図である。
【図４】実施例１の分解した裏面の斜視図である。
【図５】考案したパネル額の窓抜きした板材（1）につまみ式回転金具（２）を貼りつけた一部欠截断面図である。
【図６】考案したパネル額の支持体の一部欠截断面図である。
【図７】考案したパネル額の窓抜きした板材（1）と支持体を組み合わせた一部欠截断面図である。
【図８】つまみ式回転金具（２）の２ｂと２ｄが並行の状態にした正面図である。
【図９】つまみ式回転金具（２）の２ｂと２ｄが交差の状態にした正面図である。
【図１０】つまみ式回転金具（２）の２ａと２ｂを短辺から見て２ｄを交差の状態にした断面図である。
【図１１】つまみ式回転金具（２）の２ａと２ｂを長辺から見て２ｄを交差の状態にした断面図である。
【図１２】従来例の一部欠截断面図である。
【実施例】
【００１１】
図８から図１１のつまみ式回転金具（２）は、接着剤の代わりとして、窓抜きした板材（1）の四方の角の跳ね上がりをなくし窓抜きした板材（1）と支持体の平面板（３）が、隙間なく固定させるために考案したものである。つまみ式回転金具（２）は、第１板（２ｂ）と第２板（２ｄ）の中心に２枚の板材を軸で止めるための棒材（２ｃ）の軸が通る穴を設け、２枚(２ａ、２ｂ)の板材を軸で止めるための棒材（２ｃ）で接合してあり、２枚の板材を軸で止めるための棒材（２ｃ）を回転軸にしてお互いが回転できる構造になっている。第１板（２ｂ）と第２板（２ｄ）の形状は、並行に重ねた形が同一方向の図８であり、直交することで図９の形になる。第１板（２ｂ）は接合した裏面に両面接着材（２ａ）を貼りつけ、窓抜きした板材（1）の裏面の必要箇所に貼りつける。第２板（２ｄ）は、回転板の役割をして、摘んで回転できるように、その一部を接合面に対して垂直に曲げる。図７にあるように両面接着材（２ａ）と第１板（２ｂ）を貼り合わせた厚みは、平面板（３）の厚みと同じであり、同じ厚みにすることにより回転羽根板（２ｄ）を摘み直交させ支持体の平面板（３）を挟むように隙間なく固定することができる。以上のような工程で２枚(２ａ、２ｂ)の板材を軸で止めるための棒材（２ｃ）を軸としたつまみ式回転金具（２）を提供する。
【００１２】
次に図２の支持体の平面板（３）につまみ式回転金具（２）が適合するような（１０）穴を設けてそこを穴あき部とする。図５の窓抜きした板材（1）の裏面には平面板（３）の穴あき部の対の関係になるようにつまみ式回転金具（２）を貼りつけ凸部とする。図７のように、この凸凹により平面板（３）と窓抜きした板材（1）がかみ合い隙間を解消してお互いの横ずれも解消できる。また窓抜きした板材（1）の凸面としたつまみ式回転金具（２）には、その中央に指で摘むことのできる回転羽根板（２ｄ）が付いていて、その金具を直交することにより支持体の平面板（３）の裏面から挟むようにして固定できるようになる。この方法により隙間をなくして、窓抜きした板材（1）と平面板（３）を固定と取り外しが繰り返し容易にできるようになる。
【００１３】
もう一つの課題である作品の保管方法は、図７のパネル額の窓抜きした板材（1）と支持体を組み合わせた一部欠截断面図のように裏面の外側補強材の内側の窪みにつまみ式回転金具（２）の（２ｄ）の回転羽根板のつまみが直交できる位置の内側に内側補強材（５）を作品が入る大きさに組んで支持体の平面板（３）の裏面に貼りつけ、内側補強材（５）の枠内を収納箱とした。内側補強材（５）の木枠に合わせて被せ板（６）を設け、作品の出し入れができるように被せ板止め金具（７）を付ける。以上の工程で考案したパネル額を提供する。
【産業上の利用可能性】
【００１４】
パネル額においてつまみ式回転金具（２）をつけることにより窓抜きした板材(１)と支持体の平面板（３）を隙間なく固定できると従来同様に作品の取り換えが容易にできるようになる。またその裏面の窪みに複数の作品を収納できることは、その空間を有効保管でき極めて有益な効果を期待できる。
【符号の説明】
【００１５】
１      窓抜きした板材  
２      つまみ式回転金具
２ａ     両面接着材
２ｂ    第１板
２ｃ    ２枚の板材を軸で止めるための棒材
２ｄ    回転羽根板
３      支持体の平面板
４      外側補強材
５      内側補強材
６      被せ板
７      被せ板止め金具
８      吊金具
９ａ    接合材ａ
９ｂ    接合材ｂ
１０    つまみ式回転金具（２）に適合した穴
【図１】
0003210291.tif 000003
【図２】
0003210291.tif 000004
【図３】
0003210291.tif 000005
【図４】
0003210291.tif 000006
【図５】
0003210291.tif 000007
【図６】
0003210291.tif 000008
【図７】
0003210291.tif 000009
【図８】
0003210291.tif 000010
【図９】
0003210291.tif 000011
【図１０】
0003210291.tif 000012
【図１１】
0003210291.tif 000013
【図１２】
0003210291.tif 000014
【手続補正書】
【提出日】平成28年12月9日(2016.12.9)
【手続補正１】
【補正対象書類名】実用新案登録請求の範囲
【補正対象項目名】請求項１
【補正方法】変更
【補正の内容】
【請求項１】
窓抜きした板材（１）は、展示物に合わせた窓枠の裏面の要所につまみ式回転金具(２)を貼りつけて凸面を設け、支持体の平面板（３）は、展示物を設置するもので、支持体の平面板に、窓抜きした板材の凸面と対になるような穴（１０）を設け、窓抜きした板材のつまみ式回転金具(２)が設けられた凸面と、支持体の平面板(３)の展示物が設置される面を重ね合わせ、重ね合わせた状態では、つまみ式回転金具（２）の回転羽根板（２ｄ）が平面板の裏面に凸面をなし、回転羽根板（２ｄ）を回転することによって支持体の平面板（３）を挟むように固定することを特徴としたパネル額。
【手続補正２】
【補正対象書類名】実用新案登録請求の範囲
【補正対象項目名】請求項２
【補正方法】変更
【補正の内容】
【請求項２】
パネル額を構成する平面板（３）の裏面に枠状の内側補強材（５）を設け、内側補強材（５）の枠内を展示物の収納箱としたパネル額。
【手続補正書】
【提出日】平成29年3月10日(2017.3.10)
【手続補正１】
【補正対象書類名】実用新案登録請求の範囲
【補正対象項目名】請求項２
【補正方法】変更
【補正の内容】
【請求項２】
パネル額を構成する平面板（３）の裏面に枠状の内側補強材（５）を設け、内側補強材（５）の枠内を展示物の収納箱とした請求項１記載のパネル額。